(57)【要約】【課題】基地局である車体等からの信号が受信可能な領域内に、無線通信用携帯機であるキーが複数存在した場合に、キーの応答信号が相互干渉し、応答信号を正常に受信できなくなる。【解決手段】携帯機は、基地局からの信号の受信後、所定の遅延時間が経過したのちに応答パルスを送信する。さらに応答パルスの送信後、携帯機は一定時間復調を停止する。一方、基地局は応答パルスが得られると、すぐに動作終了コマンドを送信する。複数の携帯機に対し、各々異なる遅延時間が設けられているため、最も早く応答パルスを送信した携帯機以外は、全て動作終了コマンドを受信し、全て動作を停止する。【選択図】図２
2007329744.tif 000002
【特許請求の範囲】
【請求項１】
基地局との間で信号を送受信することにより認証を行う携帯機であって、
前記携帯機は、前記基地局から信号を受信する第１のステップと、
前記第１のステップの後、所定の遅延時間が経過するのを待って、応答信号を送信する第２のステップにより、基地局との認証を実行することを特徴とする携帯機。
【請求項２】
前記携帯機は、前記応答信号の送信後、前記基地局から送信される信号に対して不感となることを特徴とする前記請求項１記載の携帯機。
【請求項３】
前記携帯機は、前記第２のステップにおいて、
前記所定の遅延時間が経過するまでに前記基地局から信号を受信する場合、前記基地局から送信される信号に対して不感となり、
前記所定の遅延時間が経過しても前記基地局から信号を受信しない場合、前記応答信号を送信することを特徴とする前記請求項１記載の携帯機。
【請求項４】
請求項１乃至請求項３記載の前記基地局および前記携帯機を備えることを特徴とする認証装置。
【請求項５】
携帯機との間で信号を送受信することにより認証を行う基地局であって、
前記基地局は、前記携帯機に対し命令信号を送信することにより、前記携帯機が以後前記基地局からの送信信号に対して応答するか否かを指示することを特徴とする基地局。
【請求項６】
携帯機との間で信号を送受信することにより認証を行う基地局であって、
前記基地局は、
前記携帯機に対し第１の信号を送信する第１のステップと、
前記第１の信号に対する応答信号を前記携帯機から受信する第２のステップと、
前記応答信号が得られると、第２の信号を送信する第３のステップにより携帯機との認証を実行することを特徴とする携帯機。
【請求項７】
前記第２の信号は、前記携帯機が以後前記基地局からの送信信号に対して応答するか否かを指示する命令信号であることを特徴とする前記請求項６記載の携帯機。
【請求項８】
請求項５乃至請求項７記載の前記基地局および前記携帯機を備えることを特徴とする認証装置。
【発明の詳細な説明】
【技術分野】
【０００１】
本発明はキーレスエントリシステムにおける信号衝突防止システムを備えた認証装置、携帯機および基地局に関し、より詳細には、基地局である車体等からの信号が受信可能な領域内に、無線通信用携帯機であるキーが複数存在した場合に、キーの応答信号が相互干渉することを防止するシステムを備えた認証装置、携帯機および基地局に関する。
【背景技術】
【０００２】
近年、キーレスエントリーシステムなどと称し、鍵を鍵穴に入れるような機械式キーの接触動作に依らないで、電波や赤外線による通信を利用して施錠や開錠またはエンジンスタートなどの所望の動作を行う認証装置がある。キーレスエントリーシステムを実現する認証装置は、自動車所有者がもつ携帯機（キー）と、自動車側に組み込まれた基地局とから成る。従来より、携帯機側のボタンを押すことによって、携帯機側からＩＤデータなどを送信させ、基地局に対し、ＩＤデータの認証および所望の動作をさせる認証装置が広く知られていた。
【０００３】
一方、近年、基地局である自動車のドア等のノブを引く等の操作により、基地局側から先にＩＤデータなどを送信させ、携帯機が基地局の送信データに応答して信号を送信する認証装置が見られる。さらには、基地局に一定時間間隔で信号を送信させることにより、使用者が携帯機を基地局に近づけるだけで、基地局−携帯機間でＩＤデータなどをやり取りさせ、通信を行う認証装置も見られる。
【０００４】
このように、使用者が携帯機に対し操作を行わないシステムにおいては、例えば、使用者が複数の携帯機（スペアキー）を有した状態で、ドアノブを引いた場合、複数の携帯機が基地局からの信号に同時に反応して応答信号を発するため、応答信号が相互に干渉し、基地局が正常に信号を受信できないとの問題があった。
【０００５】
以下、従来の認証装置における信号衝突の防止手段を説明する。
【０００６】
携帯機はメモリに固有のＩＤデータを記憶しており、基地局は送信信号の先頭や末尾に、いずれか１つの携帯機のＩＤデータを付加して送信する。携帯機は、自己のメモリに記憶されたＩＤデータが、基地局の送信信号に付加されたＩＤデータに一致する場合のみ応答信号を発するように設定されている。従って、基地局の送信信号を受信し、応答信号を基地局に返すことができる領域（以下、通信領域と呼ぶ）に、複数の携帯機が存在しても、１つの携帯機だけを通信相手として選択し、通信することが可能となる。
【０００７】
しかし、通信領域内に、基地局の送信信号に付加されたＩＤデータと一致する携帯機が無い場合もある。このような場合、図１０に示すように、基地局は一定時間経過後、別の携帯機のＩＤデータを付加して送信する。例えば、携帯機１乃至１０が設けられている場合、通信データに付加する携帯機のＩＤを携帯機１から携帯機１０のＩＤへと順に変化させることにより、通信領域内に存在する携帯機を順に走査するように探し当てることができる。このように従来のキーレスエントリーシステムにおいて、基地局は、携帯機のＩＤデータを送信信号に付加して送信することにより、特定の携帯機を通信相手として選択し、応答信号の相互干渉を防止していた。
【特許文献１】米国特許第５７９３３２４号明細書
【特許文献１】米国特許第６９６３２７０号明細書
【特許文献１】特表２００１−５１１２７６号公報
【発明の開示】
【発明が解決しようとする課題】
【０００８】
従来例において、Ｎ個の携帯機がスペアキーとして設けられている場合、基地局は合計Ｎ＋１個の携帯機のＩＤデータをメモリに記憶する必要がある。さらに、通信領域内に１つの携帯機しか存在しない場合、基地局は、最大Ｎ＋１回のデータ送信を行う必要が生じる。従って、スペアキーの数が大きい場合、基地局側において携帯機のＩＤデータを記憶するメモリ領域も増大し、通信における時間浪費および消費電力も増加することが問題となっていた。また、基地局は携帯機のＩＤデータを順に外部に送信するため、携帯機の個数を探知されるなどセキュリティーの低下を招いていた。
【課題を解決するための手段】
【０００９】
前述した課題を解決するための主たる本発明において、携帯機は基地局から信号を受信する第１のステップと、前記第１のステップの後、所定の遅延時間が経過するのを待って、応答信号を送信する第２のステップにより、基地局との認証を実行する。
【００１０】
また、前述した課題を解決するためのその他の主たる本発明において、携帯機は、前記応答信号の送信後、前記基地局から送信される信号に対して不感となる。
【００１１】
また、前述した課題を解決するためのその他の主たる本発明において、携帯機は、前記第２のステップにおいて、前記所定の遅延時間が経過するまでに前記基地局から信号を受信する場合、前記基地局から送信される信号に対して不感となり、前記所定の遅延時間が経過しても前記基地局から信号を受信しない場合、前記応答信号を送信する。
【００１２】
また、前述した課題を解決するためのその他の主たる本発明は、前記基地局および前記携帯機を備える。
【００１３】
また、前述した課題を解決するためのその他の主たる本発明において、基地局は、前記携帯機に対し命令信号を送信することにより、前記携帯機が以後前記基地局からの送信信号に対して応答するか否かを指示する。
【００１４】
また、前述した課題を解決するためのその他の主たる本発明において、基地局は、前記携帯機に対し第１の信号を送信する第１のステップと、前記第１の信号に対する応答信号を前記携帯機から受信する第２のステップと、前記応答信号が得られると、第２の信号を送信する第３のステップにより携帯機との認証を実行する。
【００１５】
また、前述した課題を解決するためのその他の主たる本発明において、前記第２の信号は、前記携帯機が以後前記基地局からの送信信号に対して応答するか否かを指示する命令信号である。
【００１６】
また、前述した課題を解決するためのその他の主たる本発明は、前記基地局および前記携帯機を備える。
【発明の効果】
【００１７】
本発明により、キーレスエントリーシステムにおいて、複数のスペアキーが設けられている場合でも、短時間で通信を行うことが可能となると共に消費電力を低減することが可能となる。また、基地局は携帯機のＩＤデータをメモリに記憶する必要がなくなり、メモリ領域を節約し、回路やプログラムの規模を小さくすることが可能となる。さらに、基地局は、携帯機のＩＤデータを外部に送信しないため、ＩＤデータの漏洩によるセキュリティーの低下を防止できる。
【００１８】
以上の効果に加え、各実施例は次に説明する効果を有する。
【００１９】
第１実施例においては、携帯機は基地局から送信される動作終了コマンドによって、通信を停止する。動作終了コマンドは所定のパルス構造からなる信号であるため、携帯機が外部からのノイズに反応して動作を停止するなどの誤作動を防止することが可能である。
【００２０】
第２実施例において、基地局は携帯機の応答パルスを受信した後、すぐにチャレンジレスポンスを送信する。携帯機は所定の遅延時間内にチャレンジレスポンスを受信した場合、動作を停止する、または以後、基地局からの信号に不感となるよう設計されているので、通信時間および消費電力の低減が可能である。さらには、動作停止コマンドを送信する必要がないため、マイクロコンピュータのプログラムおよび回路の構成を簡単にすることが可能である。
【発明を実施するための最良の形態】
【００２１】
図１は本発明による認証装置のブロック図である。携帯機Ｂは、複数の携帯機のうち一つを代表して表記するものである。基地局Ａおよび携帯機Ｂは、いずれも送信機４，９およびフロントエンド５，１０を有しており、データの送受信を行うことができる。フロントエンド５，１０は、信号入力段から中間増幅段を経て、復調信号出力までを含むものとする。
【００２２】
送信機から送信されるデータおよび送信のタイミングは、マイクロコンピュータ３，８によって制御される。マイクロコンピュータ３，８には、カウンタ２，７が接続されており、所定の時間間隔をおいて動作を行うことが可能である。さらに、携帯機Ｂのマイクロコンピュータ８は、基地局Ａから送信される乱数（チャレンジレスポンス）を所定の暗号化プログラムにより、暗号化することができる。逆に、基地局Ｂのマイクロコンピュータ３は携帯機Ｂから暗号化された乱数（チャレンジレスポンス）を受信した後、所定の復号化プログラムにより復号化し、元の乱数（チャレンジレスポンス）を得ることができる。
【００２３】
基地局Ａおよび携帯機Ｂは内部にフラッシュメモリ１，６を有している。基地局Ａのフラッシュメモリには、基地局Ａ固有のＩＤデータおよび携帯機の動作を指定するコマンドパターンが記憶されている。一方、携帯機Ｂのフラッシュメモリ６には基地局ＡのＩＤデータ、携帯機Ｂに固有のＩＤデータ、およびコマンドパターンが記憶されている。
【００２４】
以下、実施例に基づいて、本発明に係る認証装置の動作を具体的に説明する。
【００２５】
本発明の第１の実施例を説明する。まず、図２は基地局Ａおよび携帯機Ｂの送信データを示すものである。ここでは１つの基地局に対し、携帯機Ｂ１乃至Ｂ３の３つの携帯機が存在するものとし、それぞれの送信データが時間軸上に沿って図示されている。より詳細には、パルス状に描かれた範囲において、基地局Ａおよび携帯機Ｂの送信機４および９は、一定周波数の搬送波を送信しており、この搬送波上にＡＳＫ変調またはＦＳＫ変調により通信データを付加することにより、情報の送信を行っている。搬送波の周波数は約３５０ＭＨｚ程度とし、ＦＳＫ変調を採用する場合は、約±３０ｋＨｚの範囲で周波数変調し、ＡＳＫ変調を採用する場合は、約２μＶｐｐの振幅幅で変調を行うことが好ましい。
【００２６】
さらに、携帯機Ｂが複数存在する場合、他の携帯機Ｂと基地局Ａの送信信号とが混信する可能性がある。従って、基地局Ａと携帯機Ｂには、異なる周波数の搬送波を送信させることが望ましい。変調方法や搬送波の周波数については、第１の実施例のみならずその他の実施例においても同様としてよい。
【００２７】
第１実施例において、各携帯機Ｂは、基地局ＡのＩＤデータＩＡを受信してから、所定の遅延時間ＴＲ経過後に返信パルスを送信するように設定されている。図２に示すように携帯機Ｂに対し、各々異なる遅延時間ＴＲが設定されている。
【００２８】
次に、基地局Ａおよび携帯機Ｂの動作を、図３に示すフローチャートに沿って説明する。最初に、使用者が基地局Ａのドアノブ１１を引くなどの動作を行うことにより、ドアノブ１１からマイクロコンピュータ３に通信開始信号が印加される。通信が開始すると、まずマイクロコンピュータ３は、フラッシュメモリ１にアクセスし、ウェイクパターンＷＰおよび基地局のＩＤデータＩＡを読み込み、続いて送信機４によりウェイクパターンＷＰおよびＩＤデータＩＡを送信する（ステップＡ１０１，Ａ１０２）。ウェイクパターンＷＰは所定のパターンからなる信号であり、携帯機ＢはウェイクパターンＷＰを受信したときのみ、通信を開始するよう設定されている。またＩＤデータＩＡは、メモリ１に記憶された基地局Ａに固有なＩＤデータである。
【００２９】
基地局ＡのＩＤデータは携帯機Ｂ側のフラッシュメモリ６にも記憶されており、基地局Ａから送信されたＩＤデータＩＡは、フロントエンド１０により受信され、マイクロコンピュータ８により携帯機Ｂのフラッシュメモリ６に記憶された基地局ＡのＩＤデータと照合される。一致が確認されない場合、携帯機Ｂは通信を終了する（ステップＢ１１６）。このように、ステップＢ１０３の照合を行うことで、例えば、隣接する異なる車種の車体等の基地局から発せられる信号に対し携帯機Ｂが反応したり、使用者が携帯する異なる車種の携帯機が反応するなどの誤作動を防止することができる。
【００３０】
ＩＤデータＩＡの照合が得られた場合、カウント開始信号がマイクロコンピュータ１０からカウンタ７に送信され、ＩＤデータＩＡ受信後の経過時間Ｔｂ１が測定される。経過時間Ｔｂ１が所定の遅延時間ＴＲｎに達すると、携帯機Ｂの送信機８によって、応答パルスＲＰが送信される（ステップＢ１０４，Ｂ１０６，Ｂ１０７）。応答パルスＲＰのパルス幅は、基地局Ｂ側のマイクロコンピュータ３のクロック速度などに応じて決められる。クロック速度が高ければ、より短いパルスでも適切に受信することが可能となる。一般的には数１０マイクロ秒から数ミリ秒が適切である。
【００３１】
一方、基地局Ａ側では、携帯機Ｂが応答パルスＲＰを送信するまでの間、ＩＤデータＩＡ送信後の経過時間Ｔａ１がカウンタ２によって測定されている（ステップＡ１０３乃至Ａ１０５）。基地局Ａには、待機時間ＴＭが設定されており、経過時間Ｔａ１が待機時間ＴＭに達する前に応答パルスＲＰが得られない場合、基地局Ａは、通信領域内に携帯機Ｂが存在しないと判断し、通信を終了する（ステップＡ１１４）。応答パルスＲＰが応答時間ＴＭ内に得られた場合、基地局Ａは動作終了コマンドＴＣを送信する（ステップＡ１０６）。なお、待機時間ＴＭは、携帯機Ｂのうちの最も長い遅延時間ＴＲよりも長く設定されている。
【００３２】
携帯機Ｂ側では、応答パルスＲＰ送信後、再度カウンタにより、経過時間Ｔｂ２が測定されており、停止時間ＴＰが経過するまでの間、フロントエンド１０の復調機能が停止されている（ステップＢ１０７乃至Ｂ１１１）。
【００３３】
携帯機Ｂは、マイクロコンピュータ８の設定により、携帯機Ｂのフロントエンド１０が動作停止コマンドＴＣを受信し、復調を行うと、動作を終了するよう設定されている（ステップＢ１０５およびＢ１１６）。通信の終了や復調機能の停止は、携帯機Ｂの電源供給停止により、携帯機Ｂ全体、マイクロコンピュータ８やフロントエンド１０の動作を停止する、またはマイクロコンピュータ８のプログラム制御を行うことにより、以後携帯機Ｂを基地局Ａから送信される信号に対して不感とし、応答する信号を送信しないようにするなどの方法が考えられる。更に、一定時間が経過すると、不感状態から回復させてもよい。通信の終了や復調機能の停止の方法は第２の実施例においても同様でよい。
【００３４】
停止時間ＴＰにおいては、ステップＢ１０８からＢ１１１の間、携帯機Ｂは一時的に復調を停止しているため、基地局Ａから動作停止コマンドＴＣが送信されても動作が停止されることはない。しかし、データ復調停止の状態に入る前、つまり応答パルスＲＰの送信（ステップＢ１０７）より前に基地局Ａから動作停止コマンドＴＣが送信されると、携帯機Ｂの動作は停止する（ステップＢ１０５からＢ１１６へ）。
【００３５】
ここで、ステップＢ１０５による動作の停止について、図２を例として説明を加える。まず、ステップＢ１０５による動作停止は、基地局Ａの通信圏内に複数の携帯機Ｂがある場合に発生する。上述の通り、各携帯機Ｂには、異なる遅延時間ＴＲが設定されている。よって図２に示すように、複数の携帯機Ｂのうち、より短い遅延時間ＴＲが設定された携帯機Ｂ１がより早く応答パルスＲＰを送信することになる。基地局Ａは応答パルスＲＰを受信し、続いて動作停止コマンドＴＣを送信する。このとき、携帯機Ｂ１は既にデータ復調停止状態にあるが、その他の携帯機Ｂｎはデータ復調可能な状態にあるため、動作停止コマンドＴＣを受信および復調し、結果として動作が終了される。以上の説明から分かるように、携帯機Ｂごとに異なる遅延時間ＴＲと復調停止時間ＴＰを設定することにより、基地局Ａは複数の携帯機Ｂのうち、１つだけを通信相手として選択することが可能となっている。
【００３６】
続いて、図３のフローチャートの説明に戻る。基地局Ａ側では、動作停止コマンドＴＣの送信後、再度カウンタ２により経過時間Ｔａ２が測定される（ステップＡ１０７，Ａ１０８）。停止時間ＴＰの経過後、つまり携帯機Ｂが復調停止状態から復帰するのを待った後、基地局ＡはチャレンジレスポンスＣＲを送信する（ステップＡ１０９）。
【００３７】
送信されたチャレンジレスポンスＣＲは、携帯機Ｂによって受信および復調された後、マイクロコンピュータ８によってビット長さなどのデータ構成が確認される（ステップＢ１１２，Ｂ１１３）。データ構造が正しいと判断されると、チャレンジレスポンスＣＲはマイクロコンピュータ８において、所定のプログラムにより暗号化処理され、通信データＴＤとして送信機９から送信される（ステップＢ１１３乃至Ｂ１１５）。
【００３８】
通信データＴＤは、基地局Ａのフロントエンド１０によって受信、復調された後、マイクロコンピュータ３において、所定のプログラムにより復号化される（ステップＡ１１０，Ａ１１１）。マイクロコンピュータ３は、通信データＴＤの復号結果がチャレンジレスポンスＣＲと一致するか否かを判断する（ステップＡ１１２）。
【００３９】
使用者が用いた携帯機Ｂが、基地局Ａに対応するものであれば、チャレンジレスポンスＣＲがどのような値であっても、基地局Ａの復号化プログラムは、携帯機Ｂによる暗号化済みデータを適切に復号化し、元の値であるチャレンジレスポンスＣＲを得ることができる。なお、セキュリティ強化が必要な場合、チャレンジレスポンスＣＲは基地局Ａのマイクロコンピュータ３において、乱数発生プログラムにより発生させ、さらにはビット長を長くすることが望ましい。
【００４０】
チャレンジレスポンスＣＲの一致が確認された場合、ドアの開錠など所望の動作を行う（Ａ１１３）。以上のステップを行った後、基地局Ａおよび携帯機Ｂは通信を終了する（ステップＡ１１４，Ｂ１１６）。
【００４１】
第１の実施例では、以上のように携帯機Ｂが異なるタイミングで返信パルスＲＰを送信し、返信パルス送信後、一定時間復調を停止することで、通信領域内で最も早く返信パルスＲＰを送信した携帯機のみが通信を行うことができる。
【００４２】
次に、図４および図５を用いて、第２の実施例を説明する。第１の実施例と同様、第２の実施例においても、各々の携帯機Ｂは、基地局Ａから送信されたウェイクパターンＷＰおよびＩＤデータＩＡに対し、異なる遅延時間ＴＲをもって応答パルスＲＰを送信するよう設定されている（ステップＡ２０１，Ａ２０２およびＢ２０１乃至Ｂ２０７）。さらに、基地局Ａ側では、ＩＤデータＩＡの送信からの経過時間Ｔａ１がカウンタ２によって測定され、待機時間ＴＭ内に応答パルスＲＰが受信できない場合、通信は終了する（ステップＡ２０３乃至Ａ２０５）。
【００４３】
しかしながら、第２の実施例では、ステップＡ２０４において基地局Ａが応答パルスＲＰを受信した場合、動作終了コマンドＴＣは送信されず、チャレンジレスポンスＣＲが基地局Ａから送信される（ステップＡ２０９）。
【００４４】
一方、携帯機Ｂのマイクロコンピュータ８は、ＩＤデータＩＡの受信時点（ステップＢ２０２）から応答パルスＲＰ（ステップＢ２０７）の送信時点の間（ステップＢ２０５）に、基地局Ｂから信号を受信すると、携帯機Ｂの動作を終了させるにように設定されている。ここでノイズなどを基地局Ｂからの送信信号として読み取らないよう、基地局Ｂからの信号の搬送波の周波数と同等の信号を受信したときのみ、基地局Ｂから信号を受信したと認識させることが望ましい。更に、ＡＳＫ変調またはＦＳＫ変調の変調度合いに応じて閾値を設定することができる。例えば、約２μＶｐｐの振幅幅でＡＳＫ変調を行う場合は、１μＶｐｐ以上の信号を受信したときに、基地局Ｂから信号を受信したと認識させることができる。
【００４５】
ここで、ステップＢ２０５による動作の停止について、図４を例として説明を加える。第１の実施例と同様に、各携帯機Ｂには、異なる遅延時間ＴＲが設定されている。よって図４に示すように、複数の携帯機Ｂのうち、より短い遅延時間ＴＲが設定された携帯機Ｂ１が、より早く応答パルスＲＰを送信することになる。基地局Ａは応答パルスＲＰを受信し、続いてチャレンジレスポンスＣＲを送信する。上述の通り、携帯機Ｂは、応答パルスＲＰの送信以前に何らかの信号を受信すると、動作を終了するように設定されている。
【００４６】
図４の例では、携帯機Ｂ１以外の携帯機Ｂは、応答パルスＲＰを未だ送信してない状態にあるため、チャレンジレスポンスＣＲを受信することで、通信が終了される。以上のように、異なる遅延時間ＴＲと信号受信による動作停止の設定により、基地局Ａは複数の携帯機Ｂのうち、１つだけを通信相手として選択することが可能となっている。
【００４７】
通信データＴａＤの送受信（ステップＡ２０９，Ｂ２０８）以降の動作は、第１の実施例と同様であり、チャレンジレスポンスＣＲの一致が確認された場合、携帯機Ａは所定の動作を行い、通信を終了する（ステップＡ２１０乃至Ａ２１４，Ｂ２０９乃至Ｂ２１２）。
【００４８】
第２実施例においては、基地局Ａは携帯機Ｂの応答パルスＲＰを受信した後、すぐにチャレンジレスポンスＣＲを送信するため、通信時間および消費電力の低減が可能である。さらには、動作停止コマンドＴＣを送信する必要がないため、回路構成またはマイクロコンピュータ３，８のプログラム構成を簡単にすることが可能である。
【００４９】
また、第１および第２の実施例において、ウェイクアップパターンＷＰおよびＩＤデータＩＡの送受信により、使用者が異なる車種のキーを携帯している場合の誤動作を防止することが可能であると述べた。但し、例えば使用者が、同車種ではあるが、異なる車体のキー（携帯機Ｂ´）を携帯している場合、キーはウェイクアップパターンＷＰおよびＩＤデータＩＡに反応し、応答パルスＲＰを送信する。応答パルスＲＰが送信された結果、基地局ＡからチャレンジレスポンスＣＲが送信されるが、データ構成の不適合（ステップＢ１１３か）、復号結果の不一致（ステップＡ１１２）により、認証が失敗してしまう。さらには、第１および第２の実施例においては、たとえ使用者が開錠が可能な他のキー（携帯機Ｂ）を携帯していても、携帯機Ｂ´の遅延時間が他の携帯機Ｂの遅延時間よりも短ければ、携帯機Ｂを認証に用いることができず、携帯機Ｂ´による認証失敗を繰り返すこととなる。
【００５０】
このような不具合を回避するため、基地局Ａのフラッシュメモリ１に、その通信において得られた応答パルスＲＰの遅延時間ＴＲを記憶しておくことが望ましい。これにより、携帯機Ｂ´により認証が失敗した場合、一定時間内に行われる次回の通信において、遅延時間ＴＲに得られる応答パルスを無視することができ、携帯機Ｂ´を通信から除外し、使用者が携帯機する他の携帯機Ｂを通信相手として選択することが可能となる。
【００５１】
最後に、本発明のアプリケーションについて説明する。以上の実施例は、車載用キーレスエントリシステムを例にとって説明した。しかしながら、本発明による認証装置、基地局、および携帯機は他のシステムに応用が可能である。例えば、商店、レストラン、図書館などにおいて、商品、食器または書籍等の一つ一つに、通信が可能なＩＣタグ（携帯機）を設けておき、読み取り機（基地局）を用いてＩＣタグから商品情報等を読み取るとの電子タグ管理に応用することができる。特に、上述のように、基地局のフラッシュメモリに、その通信において得られた応答パルスＲＰの遅延時間ＴＲを記憶しておき、通信が行われるごとに、既に認証を行った携帯機を順に除外するように設定することで、所定位置に置いた複数の携帯機から情報を順に読み取ることができる。これにより、カートに入れられた商品、トレー上に置かれた食器、積み上げられた書籍などの情報を一つずつ確実に読み取ることが可能となる。
【図面の簡単な説明】
【００５２】
【図１】本発明による認証装置の構成を示すブロック図である。
【図２】本発明の第１の実施例において、基地局および携帯機によって送受信される信号の波形図である。
【図３】本発明の第１の実施例における、基地局および携帯機の動作を示すフローチャートである。
【図４】本発明の第２の実施例において、基地局および携帯機によって送受信される信号の波形図である。
【図５】本発明の第２の実施例における、基地局および携帯機の動作を示すフローチャートである。
【図６】従来例において、基地局および携帯機によって送受信される信号の波形図である。
【符号の説明】
【００５３】
１  フラッシュメモリ
２  カウンタ
３  マイクロコンピュータ
４  送信機
５  フロントエンド
６  フラッシュメモリ
７  カウンタ
８  マイクロコンピュータ
９  送信機
１０  フロントエンド
１１  ドアノブ
【図１】
2007329744.tif 000003
【図２】
2007329744.tif 000004
【図３】
2007329744.tif 000005
【図４】
2007329744.tif 000006
【図５】
2007329744.tif 000007
【図６】
2007329744.tif 000008